(57)【要約】【課題】取っ手を把持して持ち上げる際に加えられる力がカバー本体にはほとんど作用しないテレビレンズ用カバーを簡易な構成で提供する。【解決手段】第１係合部を有するテレビレンズに装着され該テレビレンズを包囲するカバー本体と、前記カバー本体に設けられた取っ手部と、を備え、前記取っ手部は、前記テレビレンズの前記第１係合部に係合する第１フック部を含むことを特徴とするテレビレンズ用カバー。【選択図】  図２
2008020833.tif 000002
【特許請求の範囲】
【請求項１】
第１係合部を有するテレビレンズに装着され該テレビレンズを包囲するカバー本体と、
前記カバー本体に設けられた取っ手部と、を備え、
前記取っ手部は、前記テレビレンズの前記第１係合部に係合する第１フック部を含むことを特徴とするテレビレンズ用カバー。
【請求項２】
前記テレビレンズには前記カバー本体の背面を構成するとともに第２係合部を有する後ろカバーが装着されており、
前記取っ手部は、前記後ろカバーの前記第２係合部に係合する第２フック部を含むことを特徴とする請求項１に記載のテレビレンズ用カバー。
【請求項３】
前記第１係合部は、前記第１フック部が係合するブラケットであり、
前記第２係合部は、前記第２フック部が係合する開口部であり、
前記ブラケットには、前記カバー本体を前記テレビレンズに対して相対的に移動させながら前記カバー本体を前記テレビレンズに装着する際に、前記第２フック部が通過するための切欠が形成されていることを特徴とする請求項２に記載のテレビレンズ用カバー。
【請求項４】
前記第１係合部は、前記第１フック部が係合するブラケットであり、
前記第２係合部は、前記第２フック部が係合する開口部であり、
前記第１フック部及び前記第２フック部は、前記カバー本体を前記テレビレンズに対して相対的に移動させながら前記カバー本体を前記テレビレンズに装着する際に、前記第２フック部が前記ブラケットの側方を通過するように配置されていることを特徴とする請求項２に記載のテレビレンズ用カバー。
【発明の詳細な説明】
【技術分野】
【０００１】
本発明はテレビレンズ用カバーに係り、特にテレビレンズに装着され該テレビレンズを包囲するカバー本体を有するテレビレンズ用カバーに関する。
【背景技術】
【０００２】
従来、テレビレンズに装着され該テレビレンズを包囲するカバー本体を有するテレビレンズ用カバーが知られている。例えば、特許文献１には、図１２に示すように、テレビレンズ１０´に設けられた案内レール１１´に嵌合する取っ手１３´を有するテレビレンズ用カバー１２´が記載されている。この特許文献１に記載のテレビレンズ用カバー１２´によれば、取っ手１３´を把持して持ち上げる際に加えられる力は、案内レール１１´を介して直接テレビレンズ１０´に作用するので、カバー１２´にはほとんど作用しない。このため、カバー１２´本体補強のための構造等が不要となる。
【特許文献１】特開２０００−２０６５８８号
【発明の開示】
【発明が解決しようとする課題】
【０００３】
しかしながら、特許文献１に記載のテレビレンズ用カバー１２´では、テレビレンズ１０´側には案内レール１１´が、カバー１２´側には該案内レール１１´に嵌合する取っ手１３´が設けられているため、その構造が比較的複雑になるという問題がある。
【０００４】
本発明は、このような事情に鑑みてなされたものであり、取っ手を把持して持ち上げる際に加えられる力がカバー本体にはほとんど作用しないテレビレンズ用カバーを簡易な構成で提供することを目的とする。
【課題を解決するための手段】
【０００５】
請求項１に記載の発明は、第１係合部を有するテレビレンズに装着され該テレビレンズを包囲するカバー本体と、前記カバー本体に設けられた取っ手部と、を備え、前記取っ手部は、前記テレビレンズの前記第１係合部に係合する第１フック部を含むことを特徴とする。
【０００６】
請求項１に記載の発明によれば、カバー本体に設けられた取っ手部は、テレビレンズの第１係合部に係合する第１フック部を含んでいるので、取っ手を把持して持ち上げる際に加えられる力は、第１フック部を介して直接テレビレンズ本体に作用し、カバー本体にはほとんど作用しない。また、従来と比較して、案内レールや該案内レールに嵌合する取っ手は不要であるから、その構成が極めて簡易となる。
【０００７】
請求項２に記載の発明は、請求項１に記載の発明において、前記テレビレンズには前記カバー本体の背面を構成するとともに第２係合部を有する後ろカバーが装着されており、前記取っ手部は、前記後ろカバーの前記第２係合部に係合する第２フック部を含むことを特徴とする。
【０００８】
請求項２に記載の発明によれば、後ろカバーの第２係合部に係合する第２フック部をさらに含んでいるので、取っ手を把持して持ち上げる際に加えられる力は、第１フック部及び第２フック部を介して直接テレビレンズに作用し、カバー本体にはほとんど作用しない。
【０００９】
請求項３に記載の発明は、請求項２に記載の発明において、前記第１係合部は、前記第１フック部が係合するブラケットであり、前記第２係合部は、前記第２フック部が係合する開口部であり、前記ブラケットには、前記カバー本体を前記テレビレンズに対して相対的に移動させながら前記カバー本体を前記テレビレンズに装着する際に、前記第２フック部が通過するための切欠が形成されていることを特徴とする。
【００１０】
請求項３に記載の発明によれば、第１係合部であるブラケットには第２フック部が通過するための切欠が形成されているので、カバー本体をテレビレンズに対して相対的に移動させながら該カバー本体をテレビレンズに装着する際にブラケットが邪魔にならない。
【００１１】
請求項４に記載の発明は、請求項２に記載の発明において、前記第１係合部は、前記第１フック部が係合するブラケットであり、前記第２係合部は、前記第２フック部が係合する開口部であり、前記第１フック部及び前記第２フック部は、前記カバー本体を前記テレビレンズに対して相対的に移動させながら前記カバー本体を前記テレビレンズに装着する際に、前記第２フック部が前記ブラケットの側方を通過するように配置されていることを特徴とする。
【００１２】
請求項４に記載の発明によれば、第１フック部及び第２フック部は、第２フック部が第１係合部の側方を通過するように配置されているので、カバー本体をテレビレンズに対して相対的に移動させながら該カバー本体をテレビレンズに装着する際にブラケットが邪魔にならない。
【発明の効果】
【００１３】
本発明によれば、取っ手を把持して持ち上げる際に加えられる力がカバー本体にはほとんど作用しないテレビレンズ用カバーを簡易な構成で提供することが可能となる。
【発明を実施するための最良の形態】
【００１４】
以下、本発明の一実施形態であるテレビレンズ用カバーについて図面を参照しながら説明する。
【００１５】
まず、テレビレンズ用カバー１０をテレビレンズ２０に装着するための構造について説明する。図１は、テレビレンズ用カバー１０、及び、このテレビレンズ用カバー１０が装着されるテレビレンズ２０の斜視図である。図２は、テレビレンズ用カバー１０をテレビレンズ２０に装着した状態の断面図である。
【００１６】
図１、図２に示すように、テレビレンズ用カバー１０（以下カバー１０ということがある）は、カバー本体１１、前面プレート１２、及び、取っ手１３等を備えている。
【００１７】
カバー本体１１は、テレビレンズ２０に装着され該テレビレンズ２０を包囲する断面矩形の筒状カバー体であり、その前面にはテレビレンズ２０の先端部が挿入され突出する開口１２ａが形成された前面プレート１２が設けられている。
【００１８】
カバー本体１１は取っ手１３、第１フック部１４、及び、第２フック部１５等を備えている。取っ手部１３はカバー本体１１の外側面に配置されており、各フック部１４、１５はカバー本体１１の内側面に配置されている。取っ手１３の両端部１３ａ、１３ｂと各フック部１４、１５とはそれぞれ、カバー本体１１の天板１１ａに形成されたネジ穴を介してとも締めされている。これにより、取っ手１３とフック部１４、１５とは一体化されている（本発明の取っ手部に相当）。
【００１９】
カバー本体１１はその側板１１ｂ、１１ｂに固定用ネジＮ、Ｎを備えている。この固定用ネジＮ、Ｎをテレビレンズ２０に装着された後ろカバー２３に螺合させることにより、カバー１０をテレビレンズ２０側に固定することが可能となっている。
【００２０】
図１、図２に示すように、テレビレンズ２０はレンズ鏡胴２１を備えている。このレンズ鏡胴２１には第１フック部１４が係合するブラケット２２が設けられている。また、テレビレンズ２０の基端部にはカバー本体１１の背面を構成する後ろカバー２３が装着されており、この後ろカバー２３には第２フック部１５が係合する開口部２３ａが形成されている。図３に示すように、ブラケット２２には第２フック部１５の幅ｈ１よりも大きい幅ｈ２の切欠２２ａが形成されており、カバー本体１１の装着に際して、第２フック部１５がブラケット２２の切欠２２ａを通過する。したがって、カバー本体１１の装着に際して、ブラケット２２が邪魔になることがない。
【００２１】
次に、カバー１０をテレビレンズ２０に装着する動作について簡単に説明する。
【００２２】
カバー１０をテレビレンズ２０に対して相対的に移動させながら、カバー本体１１の第１フック部１４、第２フック部１５を、テレビレンズ２０側のブラケット２２、開口部２３ａにそれぞれ係合させるとともに、固定用ネジＮ、Ｎを締めつける。以上のようにして、カバー１０はテレビレンズ２０側に装着される。これにより、取っ手１３とフック部１４、１５とテレビレンズ２０側とが一体化される。
【００２３】
以上説明したように、本実施形態のテレビレンズ用カバー１０、及び、このテレビレンズ用カバー１０が装着されるテレビレンズ２０によれば、カバー１０がテレビレンズ２０側に装着されると、取っ手１３とフック部１４、１５とテレビレンズ２０側とが一体化される。取っ手部１３等が一体化されると、取っ手１３を把持して持ち上げる際に加えられる力は、フック部１４、１５を介して直接テレビレンズ２０に作用することになり、カバー本体１１にはほとんど作用しない。このため、カバー本体補強のための構造等が不要となる。また、従来と比較して、案内レールや該案内レールに嵌合する取っ手は不要であるから、その構成が極めて簡易となる。
【００２４】
次に、フード３０をテレビレンズ用カバー１０に装着するための構造について説明する。図４は、テレビレンズ用カバー１０、及び、このテレビ用レンズカバーに装着されるフード３０の斜視図である。図５は、凸部３２及び開口１２ｂの構成を説明するための図である。図６は、開口１２ｂの構成を説明するための図である。
【００２５】
図４、図５に示すように、フード３０は、大径部３２ａ、小径部３２ｂを有する凸部３２を備えている（図４では四つの凸部３２を例示）。図６に示すように、カバー１０の前面プレート１２には、フード３０の凸部３２が挿入される開口１２ｂ及びこの開口１２ｂに連続する溝１２ｃが形成されている（図４では四つの開口１２ｂを例示）。この溝１２ｃは前面プレート１２の略中央に中心を持つ円の円周方向に延びており、この溝１２ｃの幅は凸部３２の小径部３２ｂの径よりも小さく設定されている。また、図５に示すように、開口１２ｂ及び溝１２ｃは、一端が前面プレート１２裏側にネジ止め等により固定された板バネＢにより裏側から閉塞されている。
【００２６】
次に、フード３０をカバー１０に装着する動作について簡単に説明する。
【００２７】
まず、フード３０の各凸部３２を前面プレート１２に設けられた各開口１２ｂに挿入する。すると、図７に示すように、凸部３２の大径部３２ａがカバー１０内に侵入して板バネＢを弾性変形させるとともに、凸部３２の小径部３２ｂが開口１２ｂ内に位置する。この状態でフード３０を所定量回転させる（図４では半時計回りに回転させる）。
【００２８】
すると、図８に示すように、凸部３２の小径部３２ｂが溝１２ｃ内を移動して該溝１２ｃの端部に位置する。この位置でフード３０はカバー１０に対して適正姿勢となる。すなわち、溝１２ｃの長さは凸部３２の小径部３２ｂが該溝１２ｃの端部に位置したときに、フード３０が適正姿勢となる長さに設定されている。また、この位置で凸部３２は、もとの形状に復帰しようとする板バネＢの作用により、該板バネＢと前面プレート１２との間に挟持される。以上のようにして、フード３０はカバー１０に適正姿勢で装着される。
【００２９】
なお、フード３０を所定量逆回転させる（図４では時計回りに回転させる）ことで、該フード３０をカバー１０から取り外すことが可能である。フード３０をカバー１０から取り外すと、図５に示すように、板バネＢがもとの形状に復帰し、開口１２ｂ及び溝１２ｃを閉塞する。したがって、この開口１２ｂ及び溝１２ｃからカバー１０内部に埃やゴミ等が侵入することがない。
【００３０】
以上説明したように、本実施形態のテレビレンズ用カバー１０、及び、このテレビレンズ用カバー１０に装着されるフード３０によれば、フード３０の凸部３２をカバー１０の開口１２に挿入し該フード３０を所定量回転させるだけで、フード３０をカバー１０に装着することが可能となる。また、フード３０を所定量逆回転させるだけで、フード３０をカバー１０から取り外すことが可能となる。しかも、フード３０をカバー１０から取り外すと板バネＢが開口１２ｂ等を閉塞するので、該開口１２ｂ等からカバー１０内部に埃やゴミ等が侵入することがない。
【００３１】
次に、変形例について説明する。
【００３２】
上記実施形態では、図３に示すように、カバー本体１１に第２フック部１５を設け、後ろカバー２３にこのフック部１５が係合する開口部２３ａを設けるように説明したが、本発明はこれに限定されない。
【００３３】
例えば、図９に示すように、カバー本体１１をテレビレンズ２０に装着する際に、第２フック部１５がブラケット２２の側方を通過するように、第１フック部１４及び第２フック１５部を配置するようにしてもよい。なお、図９では二つの第２フック部１５及びこの第２フック部１５が係合する二つの開口部２３ａを示しているが、第２フック部１５及びこの第２フック部１５が係合する開口部２３ａは、一つであってもよいし、三つ以上であってもよい。
【００３４】
また、上記実施形態では、図３等に示すように、カバー本体１１に第１フック部１４、第２フック部１５を設け、テレビレンズ２０側にブラケット２２、開口部２３ａを設けるように説明したが、本発明はこれに限定されない。
【００３５】
例えば、カバー本体１１にブラケット２２、開口部２３ａを設け、テレビレンズ２０側に第１フック部１４、第２フック部１５を設けるようにしてもよい。
【００３６】
また、上記実施形態では、図２に示すように、取っ手１３の両端部１３ａ、１３ｂと各フック部１４、１５とがそれぞれとも締めされることにより、両者は一体化され本発明の取っ手部を構成するように説明したが、本発明はこれに限定されない。
【００３７】
例えば、図１０に示すように、取っ手１３とフック部１４、１５とをプラスチックあるいは金属材料等により一体的に成形するようにしてもよい。この場合、図１１に示すように、カバー本体１１の天板１１ａに取っ手１３の中央部分が挿入され突出する開口１１ｃを形成し、ネジ止め等により固定することが考えられる。
【００３８】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３９】
【図１】テレビレンズ用カバー１０、及び、このテレビレンズ用カバー１０が装着されるテレビレンズ２０の斜視図である。
【図２】テレビレンズ用カバー１０をテレビレンズ２０に装着した状態の断面図である。
【図３】カバー１０の第１フック部１４、第２フック部１５と、テレビレンズ２０側のブラケット２２、開口部２３ａとの位置関係を説明するための図である。
【図４】テレビレンズ用カバー１０、及び、このテレビ用レンズカバーに装着されるフード３０の斜視図である。
【図５】凸部３２及び開口１２ｂの構成を説明するための図である。
【図６】開口１２ｂの構成を説明するための図である。
【図７】凸部３２を開口１２ｂに挿入した状態を説明するための図である。
【図８】凸部３２を開口１２ｂに挿入した後、フード３０を所定量回転させた状態を説明するための図である。
【図９】変形例を説明するための図である。
【図１０】変形例を説明するための図である。
【図１１】変形例を説明するための図である。
【図１２】従来例を説明するための図である。
【符号の説明】
【００４０】
１０…テレビレンズ用カバー、１１…カバー本体、１１ａ…天板、１１ｂ…側板、１１ｃ…開口、１２…前面プレート、１２ａ…開口、１２ｂ…開口、１２ｃ…溝、１３…取っ手、１３ａ…端部、１４…第１フック部、１５…第２フック部、２０…テレビレンズ、２１…レンズ鏡胴、２２…ブラケット、２２ａ…切欠、２３…カバー、２３ａ…開口部、３０…フード、３２…凸部、３２ａ…大径部、３２ｂ…小径部、Ｂ…板バネ、Ｎ…固定用ネジ
【図１】
2008020833.tif 000003
【図２】
2008020833.tif 000004
【図３】
2008020833.tif 000005
【図４】
2008020833.tif 000006
【図５】
2008020833.tif 000007
【図６】
2008020833.tif 000008
【図７】
2008020833.tif 000009
【図８】
2008020833.tif 000010
【図９】
2008020833.tif 000011
【図１０】
2008020833.tif 000012
【図１１】
2008020833.tif 000013
【図１２】
2008020833.tif 000014